【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
外面および内面を有するカバーと、
前記カバー内に配置され、第１および第２端部と、外面および内面とを有するハブであって、ハブアセンブリを前記注入装置のカートリッジに容易に接続するために、前記第１端部に開口が形成され、前記第２端部に近接する前記内面上にねじ山が形成されたハブと、
前記ハブの前記外面上に形成される複数の突起と、
前記ハブが前記カバー内に配置される際、隣り合う突起の間に配置されるように、前記カバーの前記内面上に形成される少なくとも１つのリブと、
を備え、
前記複数の各突起および前記少なくとも１つのリブは、適合する傾斜面を有し、前記少なくとも１つのリブの前記複数の突起上での移動が容易になり、
前記複数の突起の前記各傾斜面上に第１の歯が形成され、
前記少なくとも１つのリブの第２の歯が、前記複数の突起の前記第１の歯の上を通過する際、可聴表示が生成されるように、前記少なくとも１つのリブの前記傾斜面上に前記第２の歯が形成され、前記ハブアセンブリが、カートリッジに適切に接続されると、これにより前記ハブアセンブリとカートリッジが適切に接続されたことを使用者に示すことを特徴とする注入装置用ハブアセンブリ。
【請求項２】
前記複数の突起は、内側に延在する溝であることを特徴とする請求項１に記載の注入装置用ハブアセンブリ。
【請求項３】
突出部が、前記ハブの前記第２端部から外側に延在し、前記カバーに収容され、
第２の複数の溝が、前記突起の外面内に形成され、
前記第２の複数の溝に係合する、第２の複数の突起が前記カバーの内面上に形成され、その結果、前記ハブアセンブリと前記カートリッジが適切に接続される際、可聴表示が生成されることを特徴とする請求項２に記載の注入装置用ハブアセンブリ。
【請求項４】
外面および内面を有するカバーと、
前記カバー内に配置され、第１および第２端部と、外面および内面とを有するハブであって、ハブアセンブリを前記注入装置のカートリッジに容易に接続するために、前記第１端部に開口が形成され、前記第２端部に近接する前記内面上にねじ山が形成されたハブと、
前記第１端部に近接する前記ハブの前記外面上に形成される少なくとも１つの突起と、
前記カバーの前記内面内に形成される少なくとも１つの切欠き部と、
前記カバーの前記少なくとも１つの各切欠き部内に形成される片持ち梁フックであって、前記ハブが前記カバー内に配置される際、前記少なくとも１つの突起は、前記少なくとも１つの片持ち梁フックのアームに係合し、その結果前記ハブと前記カバーの間に締り嵌めが形成されるように、前記アームおよび突出部を有する片持ち梁フックと、
を備え、
前記ハブアセンブリが前記カートリッジに接続される際、前記少なくとも１つの突起は、前記少なくとも１つの片持ち梁フックに沿って移動し、前記ハブアセンブリがカートリッジに適切に接続される際、該カートリッジに対する前記カバーの連続する回転が、前記少なくとも１つの突起を前記片持ち梁アームの前記突出部の上を越え、前記切欠き部へと摺動させ、これにより、前記ハブアセンブリおよびカートリッジが適切に接続されたことを使用者に示すことを特徴とする注入装置用ハブアセンブリ。
【請求項５】
前記少なくとも１つの突起が、前記少なくとも１つの切欠き部内に配置される際、前記ハブアセンブリのさらなる回転が阻止されることを特徴とする請求項４に記載の注入装置用ハブアセンブリ。
【請求項６】
前記突出部は、第１傾斜面および第２傾斜面を有し、前記第１傾斜面は、前記アームにより近接し、前記第２傾斜路面より急勾配であることを特徴とする請求項４に記載の注入装置用ハブアセンブリ。
【請求項７】
少なくとも１つのタブが、前記カバーの内面上に配置され、前記ハブアセンブリが、カートリッジから分離される際、前記少なくとも１つの突起に係合するように構成されていることを特徴とする請求項４に記載の注入装置用ハブアセンブリ。
【請求項８】
カバーと、
前記カバー内に配置され、第１および第２端部と、外面および内面とを有するハブであって、ハブアセンブリを前記注入装置のカートリッジに容易に接続するために、前記第１端部に開口が形成され、前記第２端部に近接する前記内面上にねじ山が形成されたハブと、
前記ハブの内側に配置されたリングアセンブリと、
を備え、
前記ハブアセンブリがカートリッジに適切に接続される際、該カートリッジに対する前記カバーの連続する回転が、前記リングアセンブリに前記ねじ山と共に可聴表示を生成させることを特徴とする注入装置用ハブアセンブリ。
【請求項９】
少なくとも１つのタブが、前記リングアセンブリから外側に延在し、前記ねじ山に係合することを特徴とする請求項８に記載の注入装置用ハブアセンブリ。
【請求項１０】
前記リングアセンブリは、
前記ハブの前記第２端部の前記第２端部に近接して配置される第１リングと、
第２リングと、
前記上方リングを前記下方リングに接続する複数のリビングヒンジと、
を含み、
前記ハブアセンブリが前記カートリッジに適切に接続される際、前記第１リングは、前記ハブの前記第２端部に近接する位置へ移動し、前記第２リングは、前記カートリッジに近接する位置へ移動し、これにより可聴表示を生成することを特徴とする請求項８に記載の注入装置用ハブアセンブリ。
【請求項１１】
外面および内面を有するカバーと、
前記カバー内に配置され、第１および第２端部と、外面および内面とを有するハブであって、ハブアセンブリを前記注入装置のカートリッジに容易に接続するために、前記第１端部に開口が形成され、前記第２端部に近接する前記内面上にねじ山が形成されたハブと、
前記カバーの前記内面内に形成された複数の空洞と、
前記ハブの前記外面上に形成された少なくとも１つの突起と、
を備え、
前記ハブアセンブリが前記カートリッジに適切に接続される際、該カートリッジに対する前記ハブの連続する回転が、前記複数の空洞に前記少なくとも１つの突起の上を移動させ、これにより、前記ハブアセンブリおよび前記カートリッジが適切に接続されたことを使用者に示すことを特徴とする注入装置用ハブアセンブリ。
【請求項１２】
前記複数の空洞は、前記カバーの前記内面の円周の周辺に等間隔に配置されることを特徴とする請求項１１に記載の注入装置用ハブアセンブリ。
【請求項１３】
前記少なくとも１つの突起が、前記複数の空洞に出入りする移動を容易にするように、前記少なくとも１つの突起は、可撓性アームの上に形成されることを特徴とする請求項１１に記載の注入装置用ハブアセンブリ。
【請求項１４】
前記少なくとも１つの突起は、前記ハブの前記外面から半径方向に外側に延在することを特徴とする請求項１１に記載の注入装置用ハブアセンブリ。
【請求項１５】
外面および内面を有するカバーと、
前記カバー内に配置され、ベース、および前記ベースから外側に延在する側壁を有するハブであって、ハブアセンブリを前記注入装置のカートリッジに容易に接続するために、前記側壁の内面上にねじ山が形成されたハブと、
前記側壁の前記内面上に形成された第１突起と、
前記ベースの内面上に形成され、前記第１突起に接触する第２突起と、
を備え、
前記ハブアセンブリが前記カートリッジに適切に接続される際、該カートリッジに対するカバーの連続する回転が、前記第２突起を前記第１突起の上を移動させ、これにより、使用者に対して、前記ハブアセンブリおよび前記カートリッジが適切に接続されたことの可聴表示を生成することを特徴とする注入装置用ハブアセンブリ。
【請求項１６】
外面および内面を有するカバーと、
前記カバー内に配置され、ベース、および前記ベースから外側に延在する側壁を有するハブであって、ハブアセンブリを前記注入装置のカートリッジに容易に接続するために、前記側壁の内面上にねじ山が形成されたハブと、
前記ハブ上に形成された突起と、
前記カバー上に形成された膜と、
を備え、
前記ハブアセンブリが前記カートリッジに適切に接続される際、該カートリッジに対するカバーの連続する回転が、前記突起に前記膜を穿孔させ、これにより、使用者に対して、前記ハブアセンブリおよび前記カートリッジが適切に接続されたことの可聴表示を生成することを特徴とする注入装置用のハブアセンブリ。